(57)【要約】 【課題】パッケージメディアを正規に購入したユーザーに対してパッケージメディアの収録コンテンツ以外に当該メディアに付随する各種の情報サービスを継続的に提供して、他のユーザーとの差別化を図ることによりパッケージメディアの販売を促進すること。【解決手段】パッケージメディア５０にユニークＩＤを付加しておき、認証サーバー４１で、このユニークＩＤと、このパッケージメディア５０を購入したユーザーを識別するユーザーＩＤとにより、このユーザーをパッケージメディア５０を正規に購入した正規ユーザー１００として認証して他のユーザーと区別する。その後、この正規ユーザー１００の要求に応じて情報サービスサーバー４３から各種のサービスを正規ユーザー１００に提供することにより、他のユーザーとの差別化を図る。【選択図】図１
2005100113.tif 000002
【特許請求の範囲】
【請求項１】
ユーザーにより購入され、固有の識別情報が付加された記録媒体と、
前記ユーザーを識別するユーザー識別情報及び前記記録媒体に付加された固有の識別情報により当該ユーザーを前記記録媒体を正規購入した正規ユーザーとして認証する認証手段と、
前記ユーザーを識別するユーザー識別情報及び前記固有の識別情報に関連付けてサービス情報を蓄積する蓄積手段と、
前記正規ユーザーのサービス提供要求に応じて前記サービス情報を前記蓄積手段から読み出して前記正規ユーザーが使用する情報端末に送信するサービス提供手段と、
を具備することを特徴とする情報サービスシステム。
【請求項２】
前記認証手段は、前記ユーザーを識別するユーザー識別情報及び前記記録媒体に付加された固有の識別情報により当該ユーザーを前記記録媒体を正規購入した正規ユーザーとして一度認証すると、次回以降は前記ユーザー識別情報だけで当該ユーザーを前記記録媒体を正規購入した正規ユーザーとして認証することを特徴とする請求項１記載の情報サービスシステム。
【請求項３】
前記固有の識別情報は、前記正規ユーザーが使用する情報端末により前記記録媒体から読み取られて前記認証手段に送信されることを特徴とする請求項１記載の情報サービスシステム。
【請求項４】
前記ユーザー識別情報は、ユーザーにより前記情報端末に入力されることにより前記認証手段に送信されることを特徴とする請求項１記載の情報サービスシステム。
【請求項５】
前記認証手段は、前記固有の識別情報をキーとして前記蓄積手段から提供できるサービス情報のリストを読み出して前記正規ユーザーが使用する情報端末に送信することを特徴とする請求項１記載の情報サービスシステム。
【請求項６】
前記正規ユーザーは、前記情報端末に表示されたサービス情報のリストから所望のサービス情報を選択して前記サービス提供手段に送信することにより提供してほしいサービス情報の要求を行うことを特徴とする請求項５記載の情報サービスシステム。
【請求項７】
前記サービス提供手段が提供するサービス情報の中で有料サービス情報を前記正規ユーザーが利用したことを示す利用情報を受け取り、この利用情報に基づいて前記サービス情報を享受した正規ユーザーに課金する課金手段を設けることを特徴とする請求項１記載の情報サービスシステム。
【請求項８】
前記サービス提供手段が提供したサービス情報の種類を前記ユーザー識別情報毎に或いは、前記固有の識別情報毎に収集する収集手段を設け、
前記収集手段の収集情報を前記記録媒体に収録するコンテンツの製作及び販売に反映させることを特徴とする請求項１記載の情報サービスシステム。
【請求項９】
前記サービス提供手段が提供するサービス情報は、前記ユーザー識別情報で特定される正規ユーザーが購入した記録媒体に収録されているコンテンツであることを特徴とする請求項１記載の情報サービスシステム。
【請求項１０】
前記サービス提供手段が提供するサービス情報は、前記ユーザー識別情報で特定される正規ユーザーが購入した全ての記録媒体に収録されているコンテンツのリスト情報であることを特徴とする請求項１記載の情報サービスシステム。
【請求項１１】
前記サービス提供手段が提供するサービス情報は、前記ユーザー識別情報で特定される正規ユーザーが指定した場所へ転送するコンテンツで且つ、このコンテンツは当該正規ユーザーが既に購入した記録媒体に収録されているコンテンツであることを特徴する請求項１記載の情報サービスシステム。
【請求項１２】
前記サービス提供手段が提供するサービス情報は、前記ユーザー識別情報で特定される正規ユーザーが購入した記録媒体に収録されているコンテンツの新バージョンのコンテンツであることを特徴とする請求項１記載の情報サービスシステム。
【請求項１３】
前記サービス提供手段が提供するサービス情報は、前記ユーザー識別情報で特定される正規ユーザーが購入した記録媒体に収録されているコンテンツ以外のコンテンツであることを特徴とする請求項１記載の情報サービスシステム。
【請求項１４】
前記記録媒体は光ディスクであることを特徴とする請求項１記載の情報サービスシステム。
【請求項１５】
センターと複数の情報端末がネットワークを介して接続されたシステムにおける情報サービス方法であって、
前記センターは、ひとつの情報端末から前記ネットワークを介して送信されてきたユーザーが購入した記録媒体に付加されている固有の識別情報と当該ユーザーを特定するユーザー識別情報により当該ユーザーを前記記録媒体を正規購入した正規ユーザーとして認証すると、当該正規ユーザーの前記情報端末を介した要求に応じて、前記ユーザー識別情報及び前記固有の識別情報に関連付けて記録されているサービス情報の中から該当するサービス情報を前記情報端末に前記ネットワークを介して送信することを特徴とする情報サービス方法。
【請求項１６】
前記ユーザーを識別するユーザー識別情報及び前記記録媒体に付加された固有の識別情報により当該ユーザーを前記記録媒体を正規購入した正規ユーザーとして一度認証すると、次回以降は前記ユーザー識別情報だけで当該ユーザーを前記記録媒体を正規購入した正規ユーザーとして認証することを特徴とする請求項１５記載の情報サービス方法。
【請求項１７】
前記センターが提供するサービス情報の中で有料サービス情報を前記正規ユーザーが利用したことを示す利用情報を受け取ると、この利用情報に基づいて前記サービス情報を享受した正規ユーザーに課金することを特徴とする請求項１５記載の情報サービス方法。
【請求項１８】
前記ネットワークはインターネットであることを特徴とする請求項１５記載の情報サービス方法。
【発明の詳細な説明】
【技術分野】
【０００１】
本発明は、ＣＤやＤＶＤに代表されるパッケージメディアの販売ビジネスを行うパッケージメディア情報サービスシステムに係り、特にパッケージメディアを正規に購入したユーザーと他のユーザーとの差別化を図ってビジネスを展開する情報サービス方法に関する。
【背景技術】
【０００２】
（１）従来のパッケージメディアは、音楽等のデータを保存するだけの媒体に過ぎなかった。このため、ユーザーにとってメディアは不可欠な存在ではなく、データそのものに価値があった。これが、Ｎａｐｓｔａｒに代表されるピアｔｏピアの音楽データ交換利用が増大していく一つの原因となり、パッケージメディアの売り上げが減少することにつながっていた。
【０００３】
（２）従来のパッケージメディアは、当該メディアを持ち合わせていないと、基本的にコンテンツを享受できず不便であった。つまり、自分で購入したコンテンツを他の機器で楽しむということがしにくかった。このため、近年、メディアに記録されているコンテンツ情報のみをデジタル化して吸い出し、コンテンツを自由に持ち運ぶ方法が考えられた。またこれらのデジタル化されたデータを共有することで、Ｎａｐｓｔａｒに代表されるピアtoピアのコンテンツ交換サービスも生まれた。このような方法は、パッケージメディアの２次利用のしにくさを解消したものであり、それ故、パッケージメディアの購入が差し控えられ、売り上げが減少する原因の一つとなっていた。
【０００４】
（３）購入したパッケージメディアが大量になると、ユーザー自身が購入した全てのコンテンツを一元管理することが困難となり、せっかくコンテンツを購入しても、ユーザーが自分のコンテンツを十分に享受することはできなかった。この不便さが、パッケージメディアの売り上げを減少させる原因の一つとなっていた。
【０００５】
（４）従来のＣＤやＤＶＤなどのパッケージメディアのビジネスモデルでは、次回ソフトを安く購入できるようなサービスがなく、購入した時点でメディア供給者（例えば、レコード会社）とユーザーとの関係は終了していた。このため、ユーザーはメディアを正規購入しても、コンテンツを楽しむ以外の何ら特別のサービスを享受することできず、不正にコンテンツをコピーした海賊版保有ユーザーとの差異はなかった。この正規ユーザーと海賊版保有ユーザーとの差異のなさが、パッケージメディアの売り上げを減少させる原因の一つとなっていた。
【０００６】
（５）従来のＣＤやＤＶＤなどのパッケージメディアのビジネスモデルでは、著作権者は、著作物を利用する度に継続して利益を得ることができた。また、通信網を介してコンテンツ情報の配布が行われてもコンテンツ情報が記録された記録媒体の流通が引き続き行われるようにしてビジネスの継続を図るビジネスモデルが公知である（例えば特許文献１参照）。しかし、パッケージメディアを提供するレコード会社は、今のところ、販売時メディア代以外に利益を得る手段がなく、完全な“売り切りビジネス”に甘んじるしかなかった。
【特許文献１】特開２００１−２３６３９１号公報  （第３−４頁、第１図）
【発明の開示】
【発明が解決しようとする課題】
【０００７】
しかしながら、従来の（１）の問題を解決するために、パッケージメディア上のコンテンツを享受する以外の付加価値をユーザーに提供する必要がある。（２）の問題を解決するために、ユーザーの購入したパッケージメディアを、不自由なく２次利用することを可能とする手段をユーザーに提供する必要がある。（３）の問題を解決するために、ユーザーが購入したパッケージメディアを不自由なく享受することを可能とする利便性を提供する必要がある。（４）の問題を解決するために、パッケージメディアを正規購入したユーザーのみが享受することができるシステムを提供し、正規ユーザー以外のユーザーと差別化を図る必要がある。（５）の問題を解決するために、レコード会社がメディア販売時点以外でも利益を得ることができるシステムを提供する必要がある。
【０００８】
本発明は前記事情に鑑み案出されたものであって、本発明の目的は、上記の問題を解決するために、パッケージメディアを正規に購入したユーザーとその他のユーザーを区別し、正規購入ユーザー対してパッケージメディア収録コンテンツ以外に当該メディアに付随する各種の情報サービスを継続的に提供して他のユーザーとの差別化を図ることによりパッケージメディアの販売を促進することができる情報サービスシステム及び情報サービス方法を提供することにある。
【課題を解決するための手段】
【０００９】
本発明は上記目的を達成するため、ユーザーにより購入され、固有の識別情報が付加された記録媒体と、前記ユーザーを識別するユーザー識別情報及び前記記録媒体に付加された固有の識別情報により当該ユーザーを前記記録媒体を正規購入した正規ユーザーとして認証する認証手段と、前記ユーザーを識別するユーザー識別情報及び前記固有の識別情報に関連付けてサービス情報を蓄積する蓄積手段と、前記正規ユーザーの要求に応じて前記サービス情報を前記蓄積手段から読み出して前記正規ユーザーが使用する情報端末に送信するサービス提供手段とを具備することを特徴とする。
【００１０】
また、本発明は、センターと複数の情報端末がネットワークを介して接続されたシステムにおける情報サービス方法であって、前記センターは、ひとつの情報端末から前記ネットワークを介して送信されてきたユーザーが購入した記録媒体に付加されている固有の識別情報と当該ユーザーを特定するユーザー識別情報により当該ユーザーを前記記録媒体を正規購入した正規ユーザーとして認証すると、当該正規ユーザーの前記情報端末を介したサービス提供要求に応じて、前記ユーザー識別情報及び前記固有の識別情報に関連付けて記録されているサービス情報の中から該当するサービス情報を前記情報端末に前記ネットワークを介して送信することを特徴とする。
【００１１】
このように本発明では、ユーザーが購入する記録媒体（パッケージメディア）に固有の識別情報を割り振っておき、これとユーザーを識別するユーザー識別情報とにより、パッケージメディアを正規に購入したユーザーを正規ユーザーとして認証することにより、パッケージメディアを正規に購入したユーザーとその他のユーザーを区別し、正規ユーザーにはこのユーザーが購入したパッケージメディアの収録コンテンツ以外に当該メディアに付随する各種の情報サービスを継続的に提供して他のユーザーとの差別化を図り、パッケージメディアの販売を促進することができる。
【発明の効果】
【００１２】
以上詳細に説明したように、本発明によれば、パッケージメディアに固有の識別情報を付加することにより正規に購入したパッケージメディアを購入したユーザーとその他のユーザーを区別することにより、正規購入ユーザー対してパッケージメディアの収録コンテンツ以外に当該メディアに付随する各種の情報サービスを継続的に提供することができ、これにより他のユーザーとの差別化を図って、パッケージメディアの販売を促進することができる。
また、レコード会社はパッケージメディアをユーザーに販売した後もこのユーザーに情報サービスを提供することでパッケージメディアビジネスを“売り切り型”ビジネスから、“継続型”ビジネスに転換することができ、しかも、情報サービスの一部を有料化することにより従来のメディア販売代に加えて、情報サービスを通して利益を得ることもできる。
また、ユーザー識別情報とパッケージメディアに固有の識別情報とにより認証された正規ユーザーにのみに情報サービスを利用できる仕組みにすることで、パッケージメディアに収録されているコンテンツの不法コピーユーザーとの差別化を図ることができ、これにより、不法コピーを抑止することができる。
また、ユーザー識別情報とパッケージメディア固有の識別情報とにより正規ユーザー情報や情報サービスの利用状況を管理することで、ユーザーの嗜好に即した１対１の効率の良いマーケティングを行うことができる。
【発明を実施するための最良の形態】
【００１３】
パッケージメディアを正規に購入したユーザーとその他のユーザーを区別し、正規購入ユーザー対してパッケージメディアの収録コンテンツ以外に当該メディアに付随する各種の情報サービスを継続的に提供して他のユーザーとの差別化を図ることによりパッケージメディアの販売を促進する目的を、パッケージメディアに固有の識別情報（ユニークＩＤ）を付加し、このユニークＩＤと個々のユーザーに割り当てられたユーザーＩＤとにより、当該メディアを正式に購入した正規ユーザーであることを認証し、認証された正規ユーザーに対しては、購入したパッケージメディアに記録されたコンテンツ以外に当該メディアのコンテンツに付随するサービスを提供することにより実現した。
【実施例１】
【００１４】
図１は、本発明の一実施の形態に係る情報サービスシステムの構成を示したブロック図である。
【００１５】
情報サービスシステムは、正規ユーザー１００が使用する情報端末２と、情報端末２とネットワークで接続されるパッケージメディア付加サービスセンター４と、パッケージメディア付加サービスセンター４と専用の回線で接続されるＣＤやＤＶＤなどのパッケージメディア５０を販売するレコード会社６とから構成されている。但し、特許請求の範囲の記録媒体はパッケージメディア５０に相当し、認証手段は認証サーバー４１に相当し、蓄積手段はユーザーＩＤデータベース４２と情報サービスデータベース４４に相当し、サービス提供手段は情報サービスサーバー４３に相当し、センターはパッケージメディア付加サービスセンター４に相当する。
【００１６】
パッケージメディア付加サービスセンター４は、認証サーバー４１とこれに接続されるユーザーＩＤデータベース４２及び、情報サービスサーバー４３とこれに接続される情報サービスデータベース４４を有している。また、パッケージメディア５０には固有のＩＤ（以降ユニークＩＤと称する）が予め記録され、このユニークＩＤは、個々のディスク１枚、１枚に固有に割り当てられた識別情報であり、通常の情報処理機器や音響機器では、パッケージメディア５０に記録されている音楽情報などはコピーできるが、ユニークＩＤはコピーできないようにパッケージメディア５０に記録されているものとする。
【００１７】
図２は上記したシステムにおける情報端末２、認証サーバー４１、ユーザーＩＤデータベース４２、情報サービスサーバー４３、情報サービスデータベース４４の接続関係を示したブロック図である。情報端末２は例えばインターネットなどのネットワーク３０を介して認証サーバー４１に接続され、認証サーバー４１はユーザーＩＤデータベース４２及び情報サービスサーバー４３をＬＡＮなどで接続している。さらに、情報サービスサーバー４３はＬＡＮなどで情報サービスデータベース４４を接続している。情報端末２には正規ユーザー１００によりパッケージメディア５０が着脱される。
【００１８】
図３は上記したユーザーＩＤデータベース４２及び情報サービスデータベース４４の構成を示した図である。ユーザーＩＤデータベース４２は、正規ユーザー１００を識別するためのユーザーＩＤとこのユーザーＩＤで特定される正規ユーザー１００が正規に購入したパッケージメディア５０のユニークＩＤがリンクして記録されている。情報サービスデータベース４４はユニークＩＤで特定されるパッケージメディア５０に付随するサービスＡ、サービスＢ、サービスＣ、…、がリンクして記録され、これらサービスＡ、Ｂ、Ｃ、…、には、これらサービスを実現するアプリケーションＡ、Ｂ、Ｃ、…、がリンクして格納されている。
【００１９】
ユーザーＩＤデータベース４２と情報サービスデータベース４４は互いに連携されている。ユーザーＩＤデータベース４２は、ユーザーＩＤをキーとして、このユーザーＩＤにリンクされて記録されているユニークＩＤを検索できるようになっており、一方、情報サービスサーバー４４は、ユニークＩＤをキーとして、このユニークＩＤで特定されるパッケージメディア５０に付随して提供される情報サービスを検索できるようになっている。
【００２０】
次に本実施の形態の動作について図４の動作シーケンスを参照して説明する。正規にパッケージメディア５０を購入した正規ユーザー１００が、パッケージメディア５０をネットワーク３０に接続された情報端末２に挿入すると、情報端末２は、パッケージメディア５０に記録されているユニークＩＤを読み取り、認証サーバー４１に送信する（ステップ４０１）。これと伴い、正規ユーザー１００はユーザーを識別するためにパッケージメディア付加サービスセンター４から別途ユーザーに割り振られたユーザーＩＤを情報端末２に入力するため、情報端末２はこれを認証サーバー４１に送信する（ステップ４０２）。
【００２１】
尚、ユニークＩＤを読み取らせる操作は、初めてパッケージメディア５０を情報端末２に装着してパッケージメディア付加サービスセンター４にアクセスする際に用いるだけで良いこととし、以降、認証サーバー４１による正規ユーザー１００の認証はユーザーＩＤのみで認証を行うようになっている。
【００２２】
情報端末２にユニークＩＤとユーザーＩＤが入力されると、これら２つの情報が情報端末２からネットワーク３０を介してパッケージメディア付加サービスセンター４内の認証サーバー４１に送信される。認証サーバー４１は、正規ユーザー１００が入力したユーザーＩＤがユーザーＩＤデータベース４２内より検索され且つ、検索されたユーザーＩＤにリンクしてパッケージメディア５０から読み取られたユニークＩＤがある場合は、ユーザー認証及びディスク認証を行い、その結果を情報端末２に知らせる（ステップ４０３）。
【００２３】
また、認証サーバー４１は、ユーザーＩＤデータベース４２内に入力されたユーザーＩＤが存在しない場合は、その時点でユーザーＩＤを作成し、ユーザーＩＤをユーザーＩＤデータベース４２に記録すると共に、このユーザーＩＤにリンクして上記パッケージメディア５０から読み取られたユニークＩＤを記録する。これにより、ユーザー認証、ディスク認証が完了する。
【００２４】
ユーザー認証については、本サービスをユーザーが利用するたびに行う必要があるが、ディスク認証については、一度、正規ユーザー１００が正規に購入したパッケージメディア５０に基づいて上記認証操作を行えば、ユーザー認証のみで省略することが可能である。以上により、正規ユーザー１００がパッケージメディア５０に関連する情報サービスを受け取る準備が完了する。
【００２５】
上記認証作業の終了後、認証サーバー４１は正規ユーザー１００に対して提供可能な情報サービスを情報サービスサーバー４３を介して情報サービスデータベース４４から読み出し、ネットワーク３０を介して情報端末２に送ることにより、正規ユーザー１００に提示する（ステップ４０４）。この際、新たにユーザーＩＤが作成された場合はこれを情報端末２に送くって正規ユーザー１００に知らせる。
【００２６】
正規ユーザー１００は、提示された情報サービスから所望の情報サービスを選択し、情報端末２からパッケージメディア付加サービスセンター４に要求する（ステップ４０５）。要求された情報サービスは、認証サーバー４１によりユーザーＩＤデータベース４２を参照してユーザーＩＤとユニークＩＤを照合して認証すると、正規ユーザー１００が要求した情報サービスの提供依頼を情報サービスサーバー４３に送信する（ステップ４０６）。
【００２７】
情報サービスサーバー４３は、ユニークＩＤをキーとして情報サービスデータベース４４を参照し、このユニークＩＤにリンクして記録されている情報サービスの中で要求された情報サービスがあるかどうか照合し、照合され合致した情報サービスを実現するアプリケーションを起動する（ステップ４０７）。認証サーバー４１は起動されたアプリケーションデータを情報サービスサーバー４３から受け取って、ネットワーク３０を介して情報端末２に提供する（ステップ４０８）。尚、この情報サービスの一部は有料とすることもできる。
【００２８】
ここで、上記情報サービスシステムにおいて、レコード会社６はレコード販売店を通してユーザーにユニークＩＤが付加されたパッケージメディア５０を販売し、このパッケージメディア５０の販売代金を対価として受け取る。ユーザーはパッケージメディア５０の代金をレコード販売店に支払った時点で正規ユーザー１００となる潜在的な資格を得る。また、パッケージメディア付加サービスセンター４はレコード会社６が運営管理しており、パッケージメディア付加サービスセンター４からネットワーク３０を通して正規ユーザー１００が使用する情報端末２に提供される情報サービスが有料であった場合は、これに課金し、正規ユーザー１００から情報サービス提供料を受け取る。
【００２９】
次に上記したレコード会社６が運営管理するパッケージメディア付加サービスセンター４による正規ユーザー１００に対する情報サービスの内容について説明する。本情報サービスは、正規ユーザー１００が購入したパッケージメディア５０の２次利用を促進し、メディアの携帯性を向上させるサービスを提供する。従来のＣＤなどのパッケージメディア５０では、当該メディアを持ち合わせていないと、せっかくメディアを購入したのに、楽しむことができなかったり或いは、自分でＭＤなどにダビングして楽しむ以外に方法がなく、メディアの携帯性は貧弱であった。
【００３０】
本情報サービスでは、一度ユーザーＩＤとユニークＩＤで認証した後は、次回は、ユーザーＩＤを入力しただけで、情報サービスサーバー４３に蓄積されているユニークＩＤに対応したメディアのコンテンツ（これは正規ユーザー１００が購入したパッケージメディア５０に収録されているコンテンツと同一のコンテンツ）に自由にアクセスできるようし、これにより、正規ユーザー１００は、メディアの有無にかかわらず、自分がパッケージメディア５０として購入した正規のコンテンツを、場所を問わず楽しむことが可能となる。なお、転送されたコンテンツは、著作権保護技術により、転送されたコンテンツをさらに他のメディアに転送することによる海賊版作成を防ぐようになっているものとする。
【００３１】
また、本情報サービスは購入したパッケージメディア５０の曲リスト提示サービスを提供する。購入したパッケージメディア５０が増えてくると、購入した本人もどんなコンテンツがあるのか分からなくなってきて、結局、死蔵してしまうことが多い。そこで、正規ユーザー１００が認証サーバー４１にアクセスすることで、自分が購入したコンテンツのリストを提示するサービスを受けることができるようにしてある。即ち、認証サーバー４１はユーザーＩＤに基づいて、ユーザーＩＤデータベース４２よりこのユーザーが購入した全てのパッケージメディア５０に収録されているコンテンツを検索して上記リストを作成し、このリストを情報端末２に送信する。これにより、正規ユーザー１００は、自分が購入したコンテンツを死蔵することなく楽しむことができる。さらに、正規ユーザー１００へのリスト提示と検索システムとを組み合わせれば、正規ユーザー１００は自分の好みの曲を容易に選択して、楽しむことも可能となる。
【００３２】
また、本情報サービスは正規ユーザー１００が所有する曲の第３者への転送サービスを提供する。正規ユーザー１００が所有する曲を友人等に推薦し、転送するサービスであり、転送する際には、正規ユーザー１００が曲提供代をレコード会社６に支払う。また、転送された人は、自分が知っている人からのコンテンツの提供及び推薦なので、新たにそのコンテンツに関連するコンテンツを購入する可能性が高く、レコード会社６にとってはビジネスチャンスを広げることができる。
【００３３】
さらに、本情報サービスは正規ユーザー１００が購入したコンテンツのアップグレードサービスを提供する。本情報サービスには、正規ユーザーの特典として、アップグレードサービスがあり、このサービスは、次回新バージョンのコンテンツが発売されるときには、一般ユーザーより安く、場合によっては、早く提供するものである。つまり、レコード会社６はユーザーＩＤデータベース４２より、正規ユーザー１００が今までどんなコンテンツを購入し、所有しているのか把握できるので、新譜が出るときは、一般のカスタマーに先立ち早くコンテンツを提供することができ、個々のユーザーの嗜好に即した効率の良い販売を行うことができる。その上、コンテンツを継続購入してくれる特典として、新譜を安く提供するサービスを行っても良い。これにより、正規ユーザー１００と海賊版を所有しているユーザーとの差別化を図り、正規にパッケージメディア５０を購入することを促進することができる。
【００３４】
また、本情報サービスは正規ユーザー１００が購入したコンテンツの拡張コンテンツサービスを提供する。例えばＣＤなどでは、既にボーナストラックとして、通常の収録曲に加えて１−２曲を収録し、輸入盤との差別化を図り或いは、ＣＤエクストラとして、５分程度の映像を収録したりしてカスタマーを魅了している。これと同様のコンテンツを正規ユーザー１００に提供する。
【００３５】
本情報サービスシステムでは、上記サービスをさらに拡張できる。つまり、正規に購入したユーザー１００に対して、パッケージメディア５０に収録されたコンテンツ以外のコンテンツを提供する。例えば、同一曲の様々なバージョンの曲や、ミュージッククリップ、コンサート映像などである。これらの特別に提供されるコンテンツは、ネットワーク３０上に接続されたサーバー（図示せず）に保存されており、従来のようにメディア記憶容量の制限がないようにし、ＤＶＤ並の高画質映像も提供することを可能とする。また、付加するコンテンツの自由度も高く、正規ユーザー１００になる付加価値を高め、正規にコンテンツを購入することを促進することができる。この場合も、コンテンツの一部（例えば、正規ユーザー向けオンラインコンサート）は有料にして、レコード会社６は販売利益を得ることもできる。
【００３６】
本実施の形態によれば、ＣＤやＤＶＤなどのパッケージメディア５０に個別に割り当てられる固有のＩＤ番号を用いて、ネットワーク３０上のサービスを受けるための認証をおこなうことにより、正規ユーザー１００とそれ以外のユーザーを容易且つ迅速に判別することができ、正規ユーザー１００に対してのみパッケージメディア５０に付随した各種の情報サービスをネットワーク３０を通して正規ユーザー１００に提供することができる。これにより、正規ユーザー１００は、従来通り、専用再生機器でコンテンツを享受可能であることは変わらないものの、ネットワーク３０上で提供される情報サービスを継続的に享受することができる。
【００３７】
また、パッケージメディア５０を購入した正規ユーザー１００が上記ネットワークサービスを利用できるようにすることで、レコード会社６のパッケージメディア５０の販売を促進することができ、しかも、パッケージメディア５０を売った後もこの購入者にネットワーク３０を通して情報サービスを提供することにより、正規ユーザー１００と継続して関係を持つことができ、その上、上記情報サービスの一部を有料にすることにより情報サービスを通して利益を得ることができる。
【００３８】
また、レコード会社６はユーザーＩＤデータベース４２及び情報サービスデータベース４４にアクセスして個々のユーザー毎に管理されたデータを得ることにより、ユーザーの嗜好に応じたマーケティングが可能となり、効率のよいパッケージメディア５０の販売を行うことができ、また、ユーザーＩＤ毎に管理されたデータを蓄積した認証サーバー４１を用いて、提案番号（200112-0214）にて示したネットワークに提供される情報サービスの利用支援システムを展開することも可能である。
【００３９】
上記情報サービスシステムによる各種の情報サービスは、正規にパッケージメディア５０を購入した正規ユーザー１００のみしか享受することができず、正規のパッケージメディア５０を不法にコピーしたユーザーはユニークＩＤをコピーすることができないことと、当該メディアを借りたユーザーはユーザーＩＤがないため、パッケージメディア５０に記録されたコンテンツしか享受できないので、正規ユーザー１００との差別化が図れ、音楽データ交換利用の増大に歯止めを掛け、パッケージメディア５０の売り上げを伸ばすことができる。
【００４０】
尚、本発明は上記実施の形態に限定されることなく、その要旨を逸脱しない範囲において、具体的な構成、機能、作用、効果において、他の種々の形態によっても実施することができる。例えば、上記実施の形態のシステムは、情報端末２と認証サーバー４１がインターネットなどの広域のネットワーク３０に接続された構成であったが、情報端末２と認証サーバー４１の他に、ユーザーＩＤデータベース４２、サービスサーバー４３、情報サービスデータベース４４の全てまたは一部をネットワーク３０に接続してシステムを構成することもでき、同様の効果を得ることができる。
【００４１】
また、上記実施の形態では、ユーザーが始めてパッケージメディア付加サービスセンター４にアクセスする時だけ、ユニークＩＤとユーザーＩＤの両方を正規ユーザーの認証のために用い、次回以降はユニークＩＤのみで良いとしたが、全回、ユニークＩＤとユーザーＩＤの両方を必要とする構成とした場合でも、ユーザーの負担は増大するが、同様の効果を得ることができると共に、正規ユーザーの認証のセキュリティーを向上させることができる。
【図面の簡単な説明】
【００４２】
【図１】本発明の一実施の形態に係る情報サービスシステムの構成を示したブロック図である。
【図２】図１に示したシステムにおける情報端末２、認証サーバー４１、ユーザーＩＤデータベース４２、情報サービスサーバー４３、情報サービスデータベース４４の接続関係を示したブロック図である。
【図３】図１に示したユーザーＩＤデータベース４２及び情報サービスデータベース４４の構成を示した図である。
【図４】図１に示したシステムの動作の流れを説明するシーケンス図である。
【符号の説明】
【００４３】
２……情報端末、４……パッケージメディア付加サービスセンター、６……レコード会社、３０……ネットワーク、４１……認証サーバー、４２……ユーザーＩＤデータベース、４３……情報サービスサーバー、４４……情報サービスデータベース、５０……パッケージメディア。
【図１】
2005100113.tif 000003
【図２】
2005100113.tif 000004
【図３】
2005100113.tif 000005
【図４】
2005100113.tif 000006